(57)【特許請求の範囲】
【請求項１】
直流電流から交流電流への逆変換を行うことなくＤＣを出力する無停電電源であって、
ＡＣに結合され、前記ＡＣを整流するために使用される第１整流ユニット（Ｄ１〜Ｄ４）であって、パルス状／脈動ＤＣを出力する第１整流ユニット（Ｄ１〜Ｄ４）と、
第１キャパシタ（Ｃ８）を介して前記ＡＣに結合され、前記ＡＣを整流するために使用される第２整流ユニット（Ｄ７〜Ｄ１０）であって、整流後に得られる電圧が供給されて、バッテリを充電する一定の充電電流を供給する第２整流ユニット（Ｄ７〜Ｄ１０）と、
前記バッテリを制御するのに使用されるバッテリ制御ユニットであって、前記バッテリが、前記パルス状／脈動ＤＣによって充電されると共に、前記ＡＣの停電中に放電されてＤＣを出力する、バッテリ制御ユニットと、
前記第１整流ユニットからの前記パルス状／脈動ＤＣまたは前記バッテリからの前記ＤＣを選択的に出力するために使用されて、逆変換器を含んだ負荷に供するスイッチング・ユニットと、を備え、
前記スイッチング・ユニットが、当該無停電電源の出力端子に並列に接続された第２キャパシタ（Ｃ７）を備え、
前記バッテリ制御ユニットが、前記バッテリの電圧を検出するために使用される検出回路を備え、前記バッテリの充電および／または放電が、検出結果にしたがって制御され、
前記検出回路が第１ＩＣチップ（ＩＣ１）を備え、前記バッテリ制御ユニットが第１半導体スイッチ（ＩＧＢＴ１）と第１ＤＣ−ＤＣ変換器（ＤＣ−ＤＣ１）とを備え、前記第１半導体スイッチ（ＩＧＢＴ１）のソースおよびドレイン間に第１逆方向ダイオードが接続され、前記検出回路は、前記バッテリが完全に充電されたか否か検出し、前記第１ＤＣ−ＤＣ変換器（ＤＣ−ＤＣ１）が、前記バッテリの充電状態にしたがって、前記第１半導体スイッチ（ＩＧＢＴ１）をオン−オフ制御し、
前記検出回路が第２ＩＣチップ（ＩＣ２）を備え、前記バッテリ制御ユニットが前記バッテリと前記スイッチング・ユニットとの間に結合される第２半導体スイッチ（ＩＧＢＴ２）を備え、前記第２半導体スイッチ（ＩＧＢＴ２）のソースおよびドレイン間に第２逆方向ダイオードが接続され、前記バッテリ制御ユニットが第３ＤＣ−ＤＣ変換器（ＤＣ−ＤＣ３）を備え、前記検出回路が前記バッテリの放電状態を検出し、前記第３ＤＣ−ＤＣ変換器（ＤＣ−ＤＣ３）が、前記放電状態にしたがって前記第２半導体スイッチ（ＩＧＢＴ２）をオン−オフ制御し、前記スイッチング・ユニットがダイオード（Ｄ１１）を含み、前記ダイオード（Ｄ１１）が、前記第１整流ユニットの出力端子に結合された負電極と、前記バッテリの正電極に結合された正電極とを有する、無停電電源。
【請求項２】
当該無停電電源が逆変換器を備えていない、請求項１記載の無停電電源。
【請求項３】
請求項１または２記載の無停電電源であって、サージおよび／若しくは高速電圧サージを防止するために、並びに／または電力ネットワークをＵＰＳユーザからのＥＭＩから保護するために使用されるＥＭＩフィルタ・ユニットを備える、無停電電源。
【請求項４】
請求項１記載の無停電電源において、前記バッテリ制御ユニットが、前記バッテリに結合される第２ＤＣ−ＤＣ変換器（ＤＣ−ＤＣ２）を備え、前記第２ＤＣ−ＤＣ変換器（ＤＣ−ＤＣ２）が前記検出回路に作業電圧を供給するために使用される、無停電電源。
【請求項５】
請求項１記載の無停電電源において、前記バッテリ制御ユニットが、更に、前記バッテリのそれぞれの充電状態を示すために、前記検出回路によって検出されたバッテリ電力にしたがって制御される複数のインディケータ・ランプを備える、無停電電源。
【請求項６】
請求項１記載の無停電電源において、当該無停電電源が、更に、過電流保護スイッチ（ＳＷ１およびＳＷ２）を備え、前記過電流保護スイッチ（ＳＷ１およびＳＷ２）が、入力電源の高電力過電圧状況において、あるいは負荷出力中の過電流状態または短絡状態において、ＵＰＳ出力を中断する、無停電電源。
【請求項７】
請求項１記載の無停電電源において、当該無停電電源が、緊急時にＵＰＳバッテリの電圧出力を供給するために使用される緊急時給電スイッチ（ＳＷ４）を備える、無停電電源。
【発明の詳細な説明】
【技術分野】
【０００１】
[0001]  １．技術分野
[0002]  本発明は、電源に関し、特に、オンラインまたはバックアップ無停電電源に関する。
【従来技術】
【０００２】
[0003]  ２．関連技術の説明
[0004]  現在、オフライン無停電電源およびオンライン無停電電源の双方が、ＡＣ−ＤＣ−ＡＣ変換モードで動作する。即ち、電力ネットワークによって供給された電力から整流されたＤＣ電源が、正弦波またはスイッチ電源によって、またはＰＷＭ方法によって逆変換され、電気負荷および安定電圧に適合する周波数を有する電源を出力するようになっている。このようなオンライン無停電電源には、回路が複雑であり、効率が低い、ＥＭＣ電磁放射干渉が大きい、信頼性が低い、およびコストが高いという欠点がある。
[0005]  コンピュータ・システム、ネットワーク機器、計器(instrument)、数値制御機器、自動生産ライン、ロボット、マニピュレータ、テレビジョン、娯楽システム、種々の可変周波数制御冷蔵庫、空調機器、およびエレベータ、スイッチング電源によって変換された電圧を有する全ての機器、充電デバイス、ＬＥＤ照明器具、ならびにその他の負荷は、電力ネットワーク−整流−逆変換（可変周波数または一定周波数）−（整流または非整流）モードで端末器具に電力を供給する。図１は、先行技術の無停電電源の複合ブロック図である。見てわかるように、これは、電力ネットワークおよび無停電電源から電力端子(electric terminal)までの複雑なプロセスである。
【発明の概要】
【発明が解決しようとする課題】
【０００３】
[0006]  したがって、先行技術の無停電電源を改善することが必要である。
【課題を解決するための手段】
【０００４】
[0007]  本発明の実施形態は、無停電電源を提供する。この無停電電源は、整流ユニットと、バッテリ制御ユニットと、スイッチング・ユニットとを含み、整流ユニットは、電力ネットワークまたはその他の機器からのＡＣを整流し、ＤＣを出力する。バッテリは、バッテリ制御ユニットによって充電されるように制御され、電力ネットワークからのＡＣの停電中にＤＣを出力する。スイッチング・ユニットは、整流ユニットからのＤＣまたはバッテリからのＤＣを選択的に出力する。
【０００５】
[0008]  随意に、フィルタ・ユニットが、ＡＣに対して、電磁干渉フィルタリングを実行し、充電制御ユニットが、第１キャパシタを介して、フィルタ・ユニットに結合される。
【０００６】
[0009]  スイッチング・ユニットは、整流ユニットの出力端子に結合された負電極と、バッテリの正電極に結合された正電極とを有するダイオードを含むことができる。
【０００７】
[0010]  バッテリ制御ユニットは、バッテリの電圧を検出するために使用される検出回路を含むことができるので、バッテリの充電および／または出力が検出結果にしたがって制御される。電源の出力端子に、第２キャパシタが並列に接続される。
【０００８】
[0011]  随意に、バッテリ制御ユニットは、第１半導体スイッチを含み、この第１半導体スイッチは、整流回路の出力端子とバッテリとの間に結合され、検出回路は、バッテリが完全に充電されているか否か検出し、バッテリの充電状態にしたがって、第１半導体スイッチをオン−オフ制御する。
【０００９】
[0012]  随意に、バッテリ制御ユニットは、バッテリとスイッチング・ユニットとの間に結合された第２半導体スイッチを含み、検出回路は、バッテリの放電状態を検出し、放電状態にしたがって、第２半導体スイッチをオン−オフ制御する。
【００１０】
[001３]  既存のＵＰＳの逆変換段階は不要であり、この逆変換段階において、ＥＭＩが主に生成され、障害が頻繁に発生し、コストは最も高い。本発明のこの実施形態では、この反復段階(repeated step)を削除し、ＵＳＰの信頼性を高め、ＥＭＩを低減し、小型化および低コスト化し、エネルギ保存、排出削減、および環境配慮(environmental friendliness)に対する要件が満たされる。負荷における整流回路は、整流には使用されず、ＤＣが供給されるときに一方向導通のためにのみ使用されるので、既存のＵＰＳの給電の間に二重整流によって生ずるＥＭＩは低減される。
【図面の簡単な説明】
【００１１】
【図１】図１は、先行技術の無停電電源の構造ブロック図である。
【図２】図２は、既存のＵＰＳおよび本発明の実施形態のＵＰＳの比較図である。
【図３】図３は、本発明のこの実施形態におけるＵＰＳの回路の模式図である。
【発明を実施するための形態】
【００１２】
[0017]  既存の電子機器の殆どは、電力ネットワークからの交流電流を直流電流に変換し、更に、目標の電子機器に供給するために逆変換する。その後、目標の電子機器は、ＡＣ−ＤＣ変換−スイッチング電源−ＤＣ電圧変換を経て、またはＡＣ／ＤＣ変換−スイッチング電源−周波数変換を経て、電力を負荷に供給する。
【００１３】
[0018]  一方で、殆どのコンピュータ、家電製品、周波数変換器によって制御される機器、およびスイッチング電源によって電力が供給される機器は、外部電源が整流および逆変換された後に生成される、新たな周波数および電圧を機器に供給する。
【００１４】
[0019]  本発明者は、今後、電気機器は基本的にＡＣ８０から２６５Ｖの範囲内の電力ネットワークに適合され、したがって、電圧の安定化は、無停電電源（以後略してＵＰＳと呼ぶ）にはもはや不要であり、電力周波数は、機器によって要求される通りに、ユーザの端末電源（サーボ・モータ等）によって生成されるので、ＵＰＳが電力周波数を出力してもまたは他の周波数を出力しても、違いはなく、唯一問題となるのは、ＵＳＰが電力ネットワークにおけるスパイク干渉を濾波できること、および電力ネットワークの障害の間必要に応じて機器に信頼性高く電力を供給できなければならないことであるということを発見した。
【００１５】
[0020]  明らかに、既存のＵＰＳの逆変換リンクは不要であり、ＥＭＩが生成され、障害が頻繁に発生するのは主にこの逆変換リンクにおいてであり、このリンクは最もコスト高でもある。
【００１６】
[0021]  図２は、既存のＵＳＰ、および本発明の実施形態のＵＰＳの比較図である。図２からわかるように、本発明のこの実施形態では、不要な逆変換リンクが削除されている。
【００１７】
[0022]  本発明のこの実施形態におけるＵＰＳは、電力ネットワークまたはその他のデバイスによってＡＣが供給され、次いで、このＡＣをパルス状ＤＣに整流し、最終的に、バッテリの充電を制御するためにＤＣ電圧が出力される。電気機器側では、整流部は実際には動作せず、負荷を駆動して動作させるために、ＤＣ電圧がＡＣ電圧に逆変換される。または、他の解決策では、負荷を駆動するために、逆変換ＡＣ電圧がＤＣ電圧に整流される。
【００１８】
[0023]  このように、本実施形態におけるＵＰＳは、信頼性が向上し、ＥＭＩが低減し、小型化および低コスト化され、エネルギ変換、排出削減、および環境配慮に対する要件が満たされる。負荷における整流回路は、整流のためには使用されず、ＤＣが供給されるときに一方向導通のためにのみ使用されるので、既存のＵＰＳの給電中における二重整流によって生ずるＥＭＩが低減する。
【００１９】
[0024]  図３は、本発明のこの実施形態におけるＵＰＳの模式図である。ＵＰＳは、濾波されたＡＣを整流しＤＣを出力するために使用される整流ユニットと、バッテリの充電保護および放電保護を実現するために使用される充電制御ユニットと、整流ユニットからのＤＣまたはバッテリからのＤＣを選択的に出力するために使用されるスイッチング・ユニットとを含む。
【００２０】
[0025]  一実施形態では、ＵＰＳは、更に、サージおよび高速電圧サージ(fast voltage surges)を防止するため、および／または電力ネットワークをＵＰＳユーザからのＥＭＩから保護するために使用されるＥＭＩフィルタ・ユニットを含む。
【００２１】
[0026]  ＵＰＳは、以上で述べた回路部分またはユニットの一部または全部を含む。回路部分またはユニットの具体例を以下で示すが、本発明はこれらの例に限定されるのではない。
【００２２】
[0027]  図３に示すように、ＥＭＩフィルタ・ユニットは、ＬＣフィルタリングを採用することができ、具体的には、キャパシタＣ２、Ｃ３、Ｃ４、およびＣ５と、インダクタＵ１およびＵ２とを含み、Ｃ５は大きな容量を有することができる。電力が外部電力ネットワークによって供給されるときに、電力ネットワークが雷に打たれ大きな過電圧パルスを生成した場合、過電圧はＣ２、Ｕ１、およびＵ２によって吸収されるので、電圧の跳躍はＣ５の両端に到達することができず(available)、過電流スイッチＳＷ１は、機器を損傷から保護するために、より高い過電圧によって生成される過電流によって動かす(trip)ことができ、電力ネットワーク過負荷インディケータＬＥＤ１が点灯する。電源は、電力ネットワーク上の種々の干渉を、スイッチＳＷ１、Ｃ２、Ｃ３、Ｃ４、Ｃ５、Ｕ１、およびＵ２で構成されたＥＭＩフィルタ・ユニットによって排除する。
【００２３】
[0028]  または、整流ユニットは、実例をあげると、Ｄ２〜Ｄ５で構成された全波整流ユニットであってもよい。ＥＭＩフィルタリングを受けるＡＣは、Ｄ２〜Ｄ５によって整流され、次いで、Ｄ６および過電流保護スイッチＳＷ２を介して電気機器に出力される。整流電源部が正常にＤＣ電圧を電気機器に供給するとき、作業インディケータ・ランプＬＥＤ２が点灯する。この分野の当業者であれば、他の型式の整流回路も実装可能であることがわかるはずである。高周波干渉を更に排除するために、キャパシタＣ６を使用してもよい。
【００２４】
[0029]  スイッチング・ユニットは、ＡＣ電源(AC supply)とバッテリ電源との間で切り替えるために使用される。一実施形態では、スイッチング・ユニットは、主に、ダイオードＤ１１を含む。ダイオードＤ１１は、整流ユニットの出力端子に結合された負電極と、バッテリの正電極に結合された正電極とを有する。電力ネットワークからの整流されたパルス状ＤＣ電圧がバッテリの電圧よりも明らかに低い場合、または電力ネットワークが停電しているとき、ダイオードＤ１１の負電極の電圧は、ダイオードＤ１１の正電極の電圧よりも低いので、ダイオードＤ１１はオンになり、バッテリからの電圧がＳＷ２を通って出力される。
【００２５】
[0030]  一実施形態では、スイッチング・ユニットは、更に、キャパシタＣ７を含む。キャパシタＣ７は、フィルタリングする代わりに、電力ネットワークの停電中に負荷に対する電力供給の遅延を与えるために主に使用されるので、電力ネットワークによる正常な給電中に出力される電圧と、電力ネットワークの電圧中断中におけるバッテリによる給電中に出力される電圧との間に、バッファリングが実現される。
【００２６】
[0031]  バッテリ内に貯蔵されたエネルギは、継ぎ目のない切り替えを保証するために自動的に負荷に供給されるので、電力を常時安定して供給することができ、負荷に対する影響は小さい。この実施形態では、一方向導通機能を有するダイオードが、電力ネットワークとバッテリとの間における自動切り替えのために使用され、負荷は、電圧の中断なく、電力ネットワークの給電からキャパシタの給電に、更にバッテリの給電に切り替えることができ、切り替えプロセス全体は系統的および自動的であり、短い切り替え時間内で完了するので、強い干渉(impact interference)は機器に対して殆ど生ずることなく、負荷は事実上保護される。
【００２７】
[0032]  スイッチング・ユニットは、更に、電力ネットワーク検出回路も含むことができる。電力ネットワーク検出回路は、光電カプラＲ１およびＲ２、Ｔ１、ブザーＲ３、ＬＥＤ３で構成され、電力ネットワークの停電中にＵＰＳバッテリによって電力が供給されるときに、音−光プロンプトを発生する(provide)ために使用される。電力ネットワークが正常に電力を供給するとき、電流は光電カプラＲ１および発光ダイオードＬＥＤ２を通過し、ＬＥＤ２が点灯する。一方、光電カプラは、動作中トライオードＴ１のグリッド電圧(grid voltage)を低下させ、つまり、Ｔ１は動作しない。電力ネットワークが停電しバッテリによって電力が供給されるとき、バッテリからの電圧が、Ｒ２を通って、Ｔ１のグリッド電圧を高めるので、Ｔ１が動作し、ＬＥＤ３が点灯してブザーが鳴る。
【００２８】
[0033]  ダイオードＤ６は、電力ネットワークの整流電圧をバッテリの電圧から分離し、バッテリの電圧がＲ１を介して電力ネットワーク検出回路に作用しないようにするために使用される。
【００２９】
[0034]  バッテリは、必要なときに負荷に電力を給電するように、充電制御ユニットによって充電される。
【００３０】
[0035]  一実施形態では、充電制御ユニットは、キャパシタＣ８を介して、ＥＭＩフィルタ部に結合され、簡単で、信頼性があり、電子回路の定電流源のＥＭＩ干渉を受けず、キャパシタによってＡＣに対する容量−無効電流制限を実行する定電流原理に基づいて、電子回路の定電流源の高い障害率を回避する。定電流キャパシタＣ８の容量を充電することによって、異なる電力におけるＵＰＳの充電電流が、バッテリの最適充電電流１／１０Ｃに制御される。例えば、約１０Ａの電流は、入力電源の周波数が５０Ｈｚであるとき、１４５ＭＤＦキャパシタを通過することができ、１００Ａｈの容量を有するバッテリを充電するために使用することができる。勿論、他の定電流電子回路によって、定電流を供給することもできる。
【００３１】
[0036]  充電制御ユニットには、Ｄ７〜Ｄ１０で構成された全波整流回路のような、整流回路を独立して装備することができる。充電電流は、Ｄ７〜Ｄ１０によって整流され、次いでバッテリ・パックＥ１を充電するために使用される。スイッチＳＷ３は、正常な状況ではオンに切り替えられ、使用されないときまたは輸送過程中にはオフに切り替えられる。
【００３２】
[0037]  充電制御部は、バッテリが完全に充電されているか否か判断するために使用される検出回路を含むことができる。図では、複数の検出回路ＩＣ１、ＩＣ２、ＩＣ３、およびＩＣ４が構成されている。異なる検出回路は、バッテリの電圧レベルを検出するように構成することができる。制御ユニットは、検出結果に応じて、バッテリの充電および／または出力を制御することができる。
【００３３】
[0038]  検出回路ＩＣ１は、バッテリが完全に充電されているか否か判断することができ、一方、半導体スイッチが整流回路の出力端子とバッテリとの間に結合されており、実例をあげると、この半導体スイッチは絶縁ゲート・バイポーラ・トランジスタＩＧＢＴ１であり、このＩＧＢＴ１のソースおよびドレイン間に逆方向ダイオードが接続されている。勿論、半導体スイッチは、ＭＯＳトランジスタ、トライオード、またはＳＣＲでも可能である。
【００３４】
[0039]  充電プロセスでは、検出回路ＩＣ１は高レベルを出力し、ＩＣ１の出力端子に接続されているＭＯＳトランジスタＴ２がオンになり、Ｔ２のドレインの電圧が下がり、ＤＣ−ＤＣ１が高レベルを出力し、ＩＧＢＴ１がオンになり、整流パルス状ＤＣが、ＩＧＢＴ１を介してバッテリ（Ｅ１）を充電するために使用される。一方、Ｔ２のドレインは低下するので、充電インディケータＬＥＤ７が点灯する。バッテリが完全に充電された（即ち、バッテリの電圧が高である）ことを検出したとき、検出回路ＩＣ１は低レベルを出力するので、ＩＣ１の出力端子に接続されているＭＯＳトランジスタＴ２はオフになり、ＤＣ−ＤＣ分離電源ユニットＤＣ−ＤＣ１の給電が止まり、ＩＧＢＴ１がオフになり、したがって充電は停止される。一方、ＬＥＤ６が点灯して、バッテリが完全に充電したことを示す。ＤＣ−ＤＣ１はＤＣ分離のために使用される。
【００３５】
[0040]  バッテリ・パックは定電流源負荷であるので、ＵＰＳのＥＭＩ抑制回路によって完全に排除することができない、電力ネットワークにおける高速干渉パルス(fast interference pulse)および過電圧を、バッテリ・パックの低内部抵抗によって効果的に吸収することができる。
【００３６】
[0041]  ＵＰＳバッテリが放電されて、例えば、バッテリ電力が２０％よりも多いという条件を下回ると、検出回路ＩＣ２は高レベルを出力し、ＩＣ２と接続されているＭＯＳトランジスタＴ３はオンになり、ＤＣ−ＤＣ３（ＤＣ分離のために使用される）は高レベルを出力し、ＩＧＢＴ２はオンになり、バッテリからの電力がＤ１１を介して負荷に出力され、その間、緑色のランプＬＥＤ８が点灯する。実施形態では、ＬＥＤ８およびＬＥＤ９はチューブ内にパッケージ化され、ＬＥＤ９は赤色ランプであるので、緑色ランプＬＥＤ８および赤色ランプＬＥＤ９の双方が点灯すると、黄色の光が放出されて、電源を切るように警告を発する。
【００３７】
[0042]  検出回路ＩＣ２が、バッテリが完全に放電されたことを検出したとき、ＩＧＢＴ２がオフになってＵＰＳ出力を停止するので、バッテリの寿命が長くなる。この時点で、ＬＥＤ８が消灯し、赤色ランプＬＥＤ９は未だ電源と接続されているので、オンのままでいる。勿論、ＩＧＢＴ２をＭＯＳトランジスタ、トライオード、またはＳＣＲと交換することができる。
【００３８】
[0043]  検出回路ＩＣ３は、バッテリ電力が５０％よりも高いときに、緑色光のＬＥＤ１０を点灯させる。検出回路ＩＣ４は、バッテリ電力が８０％よりも高いときに、緑色ランプＬＥＤ１１を点灯させる。ＬＥＤ１１インディケータ・ランプは、バッテリ電力が８０％よりも低いときに消灯する。ＬＥＤ１０インディケータ・ランプは、バッテリ電力が５０％よりも低いときに消灯する。
【００３９】
[0044]  ＤＣ−ＤＣ２は、検出回路に作業電圧を供給するために使用され、実例をあげると、８０〜１２０Ｖの供給電圧下で、１２Ｖの電源を供給することができる。
【００４０】
[0045]  緊急時に電力供給時間を延長させなければならないとき、緊急電源スイッチＳＷ４がオンに切り替えられ、ＬＥＤ５がこの時点で点灯し、バッテリの電流がＲ５を介して出力され、保護されていないＵＰＳバッテリが完全に放電され、これによって、軍事消防緊急救助およびその他の緊急時のための有効な緊急対策手段を提供する。
【００４１】
[0046]  更に、無停電電源は、ＳＷ２のような、過電流保護スイッチも含むことができ、この過電流保護スイッチは、負荷出力中における過電流の状況または短絡の状況に際してＵＰＳ出力を中断するために使用され、この状況の間、過電流インディケータ・ランプＬＥＤ４が点灯して、ＵＰＳおよび負荷を保護する。
【００４２】
[0047]  定電流法で充電される以上の制御回路は、任意の方法で形成することができる。ＵＰＳの作業状態インディケータ回路は、任意の方法で形成することができ、ＬＣＤ、液晶等を通じて表示することができる。
【００４３】
[0048]  本発明の以上の実施形態では、ＵＰＳが直接電力を負荷にＡＣ−ＤＣモードで供給し、従来のＵＰＳの逆変換段階および負荷の二重整流が不要になるので、電源の使用比率が高くなり、回路は簡略化され、ＵＰＳのコストは、従来のＵＰＳの主コントローラのわずか１／５から１／１０となり、電磁放射は５０〜９０％低減され、電力ネットワークおよび電気機器の干渉は大幅に低減され、エネルギは５〜２５％節約され、ＵＰＳバッテリの寿命は５〜２５％長くなり、ＵＰＳの信頼性は大幅に向上し、このＵＰＳは、環境に優しく(green)、広い軍用−民生用途に期待を持てて、エネルギを節約し環境に配慮した製品である。
【００４４】
[0049]  ＵＰＳは、コンピュータ、テレビジョン、可変周波数制御冷蔵庫、種々の充電デバイス、可変周波数空調機、可変周波数速度可調節エレベータ、消防用緊急時照明、およびＩＣインテリジェント電源に基づくその他のＬＥＤ発光ランプ等に応用することができる。
【００４５】
[0050]  ＵＰＳは、キャパシタによる電圧低下を受けるＬＥＤランプ、変圧器による電圧低下を受ける家電製品、および基本周波数の電源によって直接電力が供給される基本周波数ＡＣモータのような機器には相応しくない。
【００４６】
[0051]  以上の実施形態は、本発明の好ましい実施形態に過ぎず、本発明の保護範囲を限定することは意図していない。この技術分野において習熟した者によって、本発明によって開示された技術範囲内において容易に達成可能な変換または置換は、本発明の保護範囲内に入ってしかるべきである。したがって、本発明の保護範囲は、請求項の保護範囲に従うのが当然である。
【図１】
0006842545.tif 000002
【図２】
0006842545.tif 000003
【図３】
0006842545.tif 000004